(57)【特許請求の範囲】
【請求項１】
ソース基地局とターゲット基地局が、X2インタフェース情報により、管轄するサービスセルの隣接セルの中心周波数情報を互いに伝達する基地局の間の中心周波数情報の伝達方法において、前記サービスセルの隣接セルの中心周波数情報を物理セルIDの選択に用いる
ことを特徴とする基地局の間の中心周波数情報の伝達方法。
【請求項２】
前記X2インタフェース情報は、X2確立要求情報、X2確立応答情報、基地局配置の更新情報を含む
ことを特徴とする請求項１に記載の方法。
【請求項３】
ターゲット基地局が前記ターゲット基地局に属するターゲットセルに対して物理セルIDを割り当てるために用いられる物理セルIDの割当方法において、
前記ターゲット基地局が、操作及び維持機能エンティティが送信した使用可能な物理セルIDリストを取得し、
前記ターゲット基地局が、X2インタフェース情報により、サービスセルの隣接セルの中心周波数情報を取得し、
前記ターゲット基地局が、その取得した前記サービスセルの隣接セルの前記中心周波数情報から前記使用可能な物理セルIDリストにおけるターゲットセルの制限物理セルIDを除去して選択可能な物理セルIDセットを得る
ことを含むことを特徴とする物理セルIDの割当方法。
【請求項４】
前記ターゲットセルが使用可能な物理セルIDリストにおけるターゲットセルの制限物理セルIDを除去することは、具体的に、
予定された方式でセルの中心周波数情報が前記ターゲット基地局のターゲットセルの前記中心周波数情報と異なる第1参考物理セルIDセットを取得し、
前記ターゲット基地局が、前記使用可能な物理セルIDリストと前記第1参考物理セルIDセットとの共通セットを第2参考物理セルIDセットに形成し、
前記ターゲット基地局が、前記選択可能な物理セルIDセットで1つの物理IDを前記ターゲットセルの物理セルIDとしてランダムに選択して、前記選択可能な物理セルIDセットが空セットであると、前記第2参考物理セルIDセットで1つの物理セルIDを前記ターゲットセルの物理セルIDとしてランダムに選択することを含む
ことを特徴とする請求項３に記載の方法。
【請求項５】
前記ターゲット基地局が予定された方式で第1参考物理セルIDセットを取得することは、
前記ターゲット基地局が、X2インタフェースにより、前記ターゲット基地局とX2で接続する全ての基地局がサポートするセルの物理セルIDと中心周波数情報、及び当該全ての基地局がサポートするセルの隣接セルが使用する物理セルIDと中心周波数情報を収集し、
前記ターゲット基地局が、収集した中心周波数情報における前記ターゲットセルの中心周波数情報と異なる中心周波数情報が対応する1つ又は複数のセルの物理セルIDを前記第1参考物理セルIDセットに確定することを含む
ことを特徴とする請求項４に記載の方法。
【請求項６】
前記ターゲット基地局が予定された方式で第1参考物理セルIDセットを取得することは、
前記ターゲット基地局が、X2インタフェースにより、前記ターゲット基地局とX2で接続する全ての基地局がサポートするセルの隣接セルが使用する物理セルIDと中心周波数情報を収集し、
前記ターゲット基地局が、収集した中心周波数情報における前記ターゲットセルの前記中心周波数情報と異なる中心周波数が対応する1つ又は複数のセルの前記物理セルIDを前記第1参考物理セルIDセットに確定することを含む
ことを特徴とする請求項４に記載の方法。
【請求項７】
前記ターゲット基地局が予定された方式で第1参考物理セルIDセットを取得することは、
前記ターゲット基地局が、X2インタフェースにより、前記ターゲット基地局とX2で接続する全ての基地局がサポートするセルの隣接セルが使用する物理セルIDと中心周波数情報を収集し、
前記ターゲット基地局が、収集した中心周波数情報が前記ターゲットセルの中心周波数情報と異なる中心周波数情報が対応する1つ又は複数のセルの物理セルIDからユーザー設備によって報告された前記ターゲットセルの中心周波数情報と異なる全てのセルの物理セルIDを除去して得た1つ又は複数の物理セルIDを前記第1参考物理セルIDセットに確定することを含む
ことを特徴とする請求項４に記載の方法。
【請求項８】
前記ターゲット基地局が予定された方式で第1参考物理セルIDセットを取得することは、
前記ターゲット基地局が、ユーザー設備が報告した周りのセルの物理セルIDと中心周波数情報、X2インタフェースにより、前記ターゲット基地局とX2で接続される全ての基地局がサポートするセルの物理セルIDと中心周波数情報、当該全ての基地局がサポートするセルの隣接セルが使用する物理セルIDと中心周波数情報、及び前記ターゲット基地局自身がモニタリングした周りのセルの物理セルIDと中心周波数情報を収集し、
前記ターゲット基地局が、収集した中心周波数情報における前記ターゲットセルの中心周波数情報と異なる中心周波数情報が対応する1つ又は複数のセルの物理セルIDを第1参考物理セルIDセットに確定することを含む
ことを特徴とする請求項４に記載の方法。
【請求項９】
前記選択可能な物理セルIDセットが空セットであると、前記ターゲット基地局は、前記操作及び維持機能エンティティへ第1応答情報を送信して、前記操作及び維持機能エンティティに前記ターゲットセルが前記選択可能な物理セルIDセットで物理セルIDを選択することに失敗したことを通知し、
前記操作及び維持機能エンティティは、前記応答情報を取得した後、前記ターゲット基地局が前記第2参考物理セルIDセットで前記ターゲットセルに物理セルIDを選択するかどうかを判断して、前記ターゲット基地局へ判断結果を送信する
ことを特徴とする請求項３〜８のいずれかの1つに記載の方法。
【請求項１０】
前記ターゲット基地局が第2参考物理セルIDセットで前記ターゲットセルに物理セルIDを割り当てることに失敗した場合に、前記ターゲット基地局は、前記操作及び維持機能エンティティへ第2応答情報を送信して、前記操作及び維持機能エンティティに前記ターゲットセルが前記第2参考物理セルIDセットで物理セルIDを選択することに失敗したことを通知する
ことを特徴とする請求項３〜８のいずれかの1つに記載の方法。
【請求項１１】
前記X2インタフェース情報は、X2確立要求情報、X2確立応答情報、基地局配置の更新情報を含む
ことを特徴とする請求項３〜８のいずれかの1つに記載の方法。
【請求項１２】
操作及び維持機能エンティティが送信した物理セルIDリストとターゲットセルの制限物理セルIDを取得する第1取得モジュールと、
使用可能な物理セルIDリストから前記ターゲットセルの制限物理セルIDを除去して選択可能な物理セルIDセットを取得する第1処理モジュールと、
X2インタフェース情報により、得たセルの中心周波数情報に基づいて、予定された方式でセルの中心周波数情報が前記ターゲットセルの中心周波数情報と異なる第1参考物理セルIDセットを取得する第2取得モジュールと、
前記第2取得モジュールが取得した前記物理セルIDセットと前記使用可能な物理セルIDとの共通セットを取って第2参考物理セルIDセットに形成する第2処理モジュールと、
前記ターゲットセルに物理セルIDを選択する選択モジュールと、
前記選択モジュールを呼び出して、前記選択モジュールが前記第1処理モジュールの前記選択可能な物理セルIDセットで前記ターゲットセルに1つの物理セルIDを前記ターゲットセルの物理セルIDとしてランダムに選択して、前記選択可能な物理セルIDセットが空セットである場合に、前記第2処理モジュールの前記第2参考物理セルIDセットで1つの物理セルIDを前記ターゲットセルの物理セルIDとしてランダムに選択する呼び出しモジュールと、を備える
基地局。
【発明の詳細な説明】
【技術分野】
【０００１】
本発明は、通信分野に関し、具体的には、物理セルIDの割当方法と基地局に関する。
【背景技術】
【０００２】
移動通信技術の発展に伴って、長期発展型（Long Term Evolution、LTEと略称）システムにおいて、発展型基地局（E-UTRAN Node B、eNBと略称）の数が比較的多くなるため、従来の手動による（人工）方法を採用してeNBを取付、配置及び維持すると、大量の労力、物資と財力を消費することになる。
【０００３】
システムの運営・維持コストを低減するために、自己組織型ネットワーク（Self Organizing Network、SONと略称）の概念が生まれた。SONは、eNBに対して自動的に取付、配置及び維持することができる移動通信ネットワークであって、従来の人工管理の方式に対しては、作業量を減少させ、さらに運営者の運営・維持コストを低減することができる。
【０００４】
SONにとっては、物理セルID（Physical Cell ID、PCIと略称）の自動配置は、その重要な内容の1つである。PCIは、無線セルの基本配置パラメーターであって、1つの新しいeNBがネットワークにアクセスすると、隣接するセルの間に干渉が発生することを避けるために、当該eNBがサポートする全てのセルに1つのPCIをそれぞれ割り当てる必要がある。
【０００５】
従来上で、PCIは、ネットワーク計画によって割り当てられるものであり、基地局が初期に配置する仕事の1つである。PCIの割当は、できるだけ一定のカバー領域内でセル間の物理IDが衝突せず、地理位置の隣接するセル間に干渉が発生しないことを保証する。現在、PCIを自動的に配置する方法は、主に集中式と分散式の2種類を含む。その中、集中式方法は、操作及び維持機能エンティティ（Operations And Maintenance、OAMと略称）によってeNBに1つの特定のPCI値を通知して、eNBが当該特定のPCI値を新しいセルのPCIとするものであり、分散式方法は、OAMがeNBに1つのPCIの使用可能値のリストを通知して、eNBがこのリストからPCI制限集合を除去した後、余剰のPCI値リストで1つの値を新しいセルのPCIとしてランダムに選択するものである。その中、eNBのPCI制限集合は、以下のようなPCI、即ち、UEがeNBへ報告したPCI、eNBの隣接のeNBがX2インタフェースによりeNBへ報告したPCI、その他の実現方法により得られたPCI、例えば、eNBが自動的にモニタリングして得たPCIを含む。一般的には、制限集合におけるPCIは、新しいセルの周りのセルがすでに使用しているPCIである。
【発明の概要】
【発明が解決しようとする課題】
【０００６】
しかし、LTEシステムにおいては、ただ504個のPCIだけがあるが、LTEシステムにおけるeNBは、通常、比較的多いため、上記分散式方法に従ってPCI値を割り当てる場合、eNBは選択可能なPCI値がない場合が現れる可能性がある。例えば、OAMが各種の原因から与えたリストにおける使用可能なPCI値は比較的少ないが、隣接のeNBが、X2インタフェースにより、非常に多いPCI制限値を報告した場合に、eNBは、要求に合うPCIを得ることができない可能性がある。
【０００７】
本発明は、関連技術に存在する、分散式方法を採用してPCIを割り当てる時に基地局がそのサポートするセルにPCIを選択することができない問題を考えて提案されるものであり、基地局の間に中心周波数情報を伝達する方法を提供するとともに、伝達方法を用いる物理セルIDの割当方法及び基地局を提供して、上記問題を解決することを目的とする。
【課題を解決するための手段】
【０００８】
本発明は、上記課題を解決するためになされたものであり、その１側面は、基地局の間に中心周波数情報を伝達する方法は、ソース基地局とターゲット基地局が、X2インタフェース情報により、管轄した物理セルIDを選択するサービスセルの隣接セルの中心周波数情報を互いに伝達することを含む。
【０００９】
本発明は、上記課題を解決するためになされたものであり、その1側面は、物理セルIDの割当方法は、ターゲット基地局が自身に属するターゲットセルに物理セルIDを割り当てることに用いられるものである。
【００１０】
本発明による物理セルIDの割当方法は、ターゲット基地局が、操作及び維持機能エンティティが送信した使用可能な物理セルIDリストを取得して、使用可能な物理セルIDリストからターゲットセルの制限物理セルIDを除去して選択可能な物理セルID集合を得、ターゲット基地局のX2インタフェース情報にサービスセルの隣接のセルの中心周波数情報が含まれ、ターゲット基地局が、X2インタフェース情報により、サービスセルの隣接セルの中心周波数情報を取得して、予定された方式でセルの中心周波数情報がターゲット基地局のターゲットセルの中心周波数情報と異なる第1参考物理セルIDセットを取得し、ターゲット基地局が使用可能な物理セルIDリストと第1参考物理セルIDセットとの共通セットを第2参考物理セルIDセットに形成し、ターゲット基地局が選択可能な物理セルIDセットで1つの物理IDをターゲットセルの物理セルIDとしてランダムに選択し、選択可能な物理セルIDセットが空セットであると、第2参考物理セルIDセットで1つの物理セルIDをターゲットセルの物理セルIDとしてランダムに選択することを含む。
【００１１】
本発明は、上記課題を解決するためになされたものであり、その他の１側面は、操作及び維持機能エンティティが送信した物理セルIDリストとターゲットセルの制限物理セルIDを取得する第1取得モジュールと、使用可能な物理セルIDリストからターゲットセルの制限物理セルIDを除去して選択可能な物理セルIDセットを取得する第1処理モジュールと、X2のインタフェース情報により取得したセルの中心周波数情報に基づいて、予定された方式でセルの中心周波数情報がターゲットセルの中心周波数情報と異なる第1参考物理セルIDセットを取得する第2取得モジュールと、第2取得モジュールが取得した物理IDセットと使用可能な物理セルIDセットとの共通セットを第2参考物理セルIDセットに形成する第2処理モジュールと、ターゲットセルに物理セルIDを選択する選択モジュールと、選択モジュールを呼び出して、選択モジュールが第1処理モジュールの選択可能な物理セルIDセットでターゲットセルに1つの物理セルIDをターゲットセルの物理セルIDとしてランダムに選択し、選択可能な物理セルIDセットが空セットである場合に、第2処理モジュールの第2参考物理セルIDセットで1つの物理セルIDをターゲットセルの物理セルIDとしてランダムに選択する呼び出しモジュールと、を備える基地局である。
【発明の効果】
【００１２】
本発明の上記少なくとも1つの技術的案によれば、分散式方法でターゲットセルの中心周波数情報と異なるセルのPCIをターゲットセルのPCIとすることで、従来技術に比べて、ターゲットセルにPCIを割り当てる成功率を向上させて、セル間のPCIの衝突及びセル間の干渉を避けることができる。
【００１３】
ここで記載する添付図面は、本発明を更に説明するために用いられるものであり、明細書の一部を構成し、示した実施の形態とともにその説明は本発明を理解するために用いられるものであり、本発明に対する不当な限定をするものではない。
【図面の簡単な説明】
【００１４】
【図１】本発明に係る方法の実施例における物理セルIDの割当方法のフローチャートである。
【図２】本発明に係る方法の実施例における物理セルIDの割当方法の詳しい処理のフローチャートである。
【図３】本発明に係る方法の実施例におけるX2インタフェースに基づく情報の確立のフローチャートである。
【図４】本発明に係る方法の実施例における基地局配置の更新のフローチャートである。
【図５】本発明に係る装置の実施例における基地局構成のブロック図である。
【発明を実施するための形態】
【００１５】
機能の概要
現在のLTEシステムにおけるPCIの数はわずかであるので、PCIの自動配置時にPCIの多重を考えることができる。LTEセルに対して、同じ周波数でネットワーキングする場合に、隣接セルが周波数とPCIが同じであると、セルの間に厳重な干渉を与えて、セルが使用されないことになる。一方で、異なる周波数でネットワーキングする場合に、セルの中心周波数が一致しなければ、干渉は発生せず、セル間の物理IDが衝突しないので、隣接セルの周波数が異なりPCIが同じであることを許すことができる。そのため、新しいセルに、その周りの周波数が異なるセルのPCIを多重させることを許すことができる。本発明は、上記考えに基づいて、基地局の間に中心周波数情報を伝達する方法及び当該方法を用いる物理セルIDの割当方法を提供して、従来技術に存在する問題を解決する。
【００１６】
添付図面を結び付けて本発明を詳しく説明する。
【００１７】
方法の実施例1
本発明に係る実施例は、基地局の間に中心周波数情報を伝達する方法及び当該方法を用いる物理セルIDの割当方法を提供することにある。
【００１８】
なお、説明の便利のために、以下にステップの形式で本発明に係る方法の実施例における技術的案を示して説明し、また、以下に示すステップは例えば1組のコンピュータが指令を実行できるコンピュータシステムで実行することができる。関連する添付図面に論理順序を示すが、これは、ある場合のもので、これと異なる順序で、示された又は説明されたステップを実行することができる。
【００１９】
矛盾しない限り、本発明の実施例及び実施例における特徴は互いに組み合わせることができる。
【００２０】
図１は本発明に係る実施例における物理セルIDの割当方法のフローチャートである。図１に示すように、ターゲット基地局が自身に属するターゲットセルに物理セルIDを割り当てることは、以下のステップ（ステップS102〜ステップS108）を含む。
【００２１】
ステップ102において、ターゲット基地局は、操作及び維持機能エンティティが送信した使用可能な物理セルIDリストを取得し、使用可能な物理セルIDリストからターゲットセルの制限物理セルIDを除去して選択可能な物理セルIDセットを得る。
【００２２】
ステップS104において、ターゲット基地局のX2インタフェース情報に物理セルIDを選択するサービスセルの隣接セルの中心周波数情報が含まれる。その中、X2インタフェース情報は、X2確立要求情報、X2確立応答情報、基地局配置更新情報の少なくとも1つを含む。ターゲット基地局は、X2インタフェース情報により、サービスセルの隣接セルの中心周波数情報を取得して、予定された方式でセルの中心周波数情報がターゲット基地局のターゲットセルの中心周波数情報と異なる第1参考物理セルIDセットを取得する。
【００２３】
ステップS106において、ターゲット基地局は、使用可能な物理セルIDリストと第1参考物理セルIDとの共通セットを第2参考物理セルIDセットに形成する。
【００２４】
ステップ108において、ターゲット基地局は、選択可能な物理セルIDセットで1つの物理IDをターゲットセルの物理セルIDとしてランダムに選択し、選択可能な物理セルIDセットが空セットであると、第2参考物理セルIDセットで1つの物理セルIDをランダムに選択してターゲットセルの物理セルIDとする。
【００２５】
その中、ここでの第1参考物理セルIDセットとは、ターゲットセルと周波数が異なる周りのセルのPCIセットである。
【００２６】
ターゲット基地局は、下記の4つの予定された方式により、第1参考物理セルIDセットを確定することができる。
【００２７】
方式一：ターゲット基地局は、X2インタフェースにより、ターゲット基地局とX2で接続する全ての基地局がサポートする物理セルIDと中心周波数情報、及び当該全ての基地局がサポートするセルの隣接セルが使用する物理セルIDと中心周波数情報を収集する。ターゲット基地局は、収集した中心周波数情報におけるターゲットセルの中心周波数情報と異なる中心周波数情報が対応する1つ又は複数のセルの物理セルIDを第1参考物理セルIDセットに確定する。
【００２８】
方式二：ターゲット基地局は、X2インタフェースにより、ターゲット基地局とX2で接続する全ての基地局がサポートするセルの隣接セルが使用する物理セルIDと中心周波数情報を収集する。ターゲット基地局は、収集した中心周波数情報におけるターゲットセルの中心周波数情報と異なる中心周波数情報が対応する1つ又は複数のセルの物理セルIDを第1参考物理セルIDセットに確定する。
【００２９】
方式三：ターゲット基地局は、X2インタフェースにより、ターゲット基地局とX2で接続する全ての基地局がサポートするセルの隣接セルが使用する物理セルIDと中心周波数情報を収集する。ターゲット基地局は、収集した中心周波数情報におけるターゲットセルの中心周波数情報と異なる中心周波数情報が対応する1つ又は複数のセルの物理セルIDからユーザー設備によって報告された、ターゲットセルの中心周波数情報と異なる全てのセルの物理セルIDを除去して1つ又は複数のセルの物理セルIDを取得して第1参考物理セルIDセットに確定する。
【００３０】
方式四：ターゲット基地局は、ユーザー設備が報告した周りのセルの物理セルIDと中心周波数情報、X2インタフェースにより、ターゲット基地局とX2で接続する全ての基地局がサポートするセルの物理セルIDと中心周波数情報、当該全ての基地局がサポートするセルの隣接セルが使用する物理セルIDと中心周波数情報、及びターゲット自身がモニタリングした周りのセルの物理セルIDと中心周波数情報を収集する。ターゲット基地局は、収集した中心周波数情報におけるターゲットセルの中心周波数情報と異なる中心周波数情報が対応する1つ又は複数のセルの物理セルIDを第1参考物理セルIDセットに確定する。
【００３１】
また、選択可能物理セルIDセットが空セットであると、ターゲット基地局は、OAMへ第1応答情報を送信して、ターゲットセルが選択可能な物理セルIDセットで物理セルIDを選択することに失敗したことをOAMに通知する。OAMは、応答情報を取得した後、ターゲット基地局が第2参考物理セルIDセットでターゲットセルに物理セルIDを選択するかどうかを判断して、ターゲット基地局へ判断結果を送信する。
【００３２】
ターゲット基地局が第2参考物理セルIDセットでターゲットセルに対して物理セルIDを割り当てることに失敗した場合に、ターゲット基地局は、OAMへ第2応答情報を送信して、ターゲットセルが第2参考物理セルIDセットで物理セルIDを選択することに失敗したことをOAMに通知する。
【００３３】
本発明に係る実施例が提供した技術的案によれば、分散式方法でターゲットセルの中心周波数情報と異なるセルのPCIをターゲットセルのPCIとすることで、従来技術に比べて、ターゲットセルに対してPCIを配置する成功率を向上させて、セル間のPCIの衝突及びセル間の干渉を避けて、ネットワークの運営性能を向上させて、ネットワークの運営・維持コストを低減することができる。
【００３４】
実施例
セルに正常な作業を開始させるように、システムにeNBを新たに追加して、自動的な配置により、新しいeNBの下のセルの物理IDの割当を実現する必要がある。図２は本発明に係るeNBが自動的な配置により、そのサポートするセルにPCIを割り当てるフローチャートである。明らかに説明するために、以下で当該eNBがセル1（即ち上述したターゲットセル）にPCIを割り当てることを例として本発明に係る実施例を説明すると、以下の処理を含む。
【００３５】
S1：OAMは、eNBへ使用可能なPCIセットを送信し、例えば、PCIの企画原則及び運用機関の需要に従って当該eNBに使用可能なPCI値のリストを送る。
【００３６】
S2：eNBは、UEにより報告され、X2インタフェースにより報告され、及び基地局自身がモニタリングするなどの方式でセル1の周りのセルがすでに使用しているPCIセットを取得し、セル1にその周りのセルと同じPCIを使用させないために、セル1の周りのセルがすでに使用しているPCIセットをPCI制限セットとして、使用可能なPCIセットからPCI制限セットを除去した後、PCI選択可能なセット（即ち、上述した選択可能な物理セルIDセット）を得て（上述したステップS102に対応）、即ち、当該PCI選択可能なセットにおけるPCIがセル1に選択され、且つセル1がPCI選択可能なセットで選択されたPCIがその周りのセルが使用するPCIと重複しないことを保証する。
【００３７】
S3：eNBは、X2インタフェースにより、当該eNBとX2で接続する全ての基地局がサポートするセルのPCIと中心周波数情報、及び当該全ての基地局がサポートするセルの隣接セルが使用するPCIと中心周波数情報を収集した後、得た全てのセルでセル1の中心周波数情報と異なるセルのPCIを選択して、セル1の中心周波数情報と異なるセルのPCIセット（即ち、上述した第1参考物理セルIDセット）を確定して（上述したステップS104に対応）、当該PCIセットとOAMが送信した使用可能なPCIセットとの共通セットを取ってPCI多重セット（即ち、上述した第2参考物理セルIDセット）を得て（上述したステップS106に対応）、当該PCI多重セットにおけるPCIがセル1に選択され、且つセル1がPCI多重セットで選択したPCI値がセル1の周りの周波数が異なるセルのPCI値と重複する。
【００３８】
当該eNBとX2で接続する全ての基地局がサポートするセルの隣接セルが使用する中心周波数情報を得るために、X2インタフェース情報でサービスセルの隣接セルのPCI以外に、サービスセルの隣接セルの中心周波数情報を伝達する必要がある。図３に示すX2確立情報流れにおけるX2確立要求情報、X2確立応答情報及び図４に示すeNB配置の更新流れにおけるeNB配置更新情報という3つの情報でサービスセルの隣接セル情報を広げる。従来の隣接セル情報に含まれるセルのPCI、セルの全体のID、新増セルの中心周波数情報EARFCN（E-UTRA Absolute Radio Frequency Channel Number、EARFCNと略称）について、具体的な情報構造は、表1のサービスセルの隣接セルの中心周波数情報の構造図を参照する。
【００３９】
【表１】
0005444359.tif 000002
【００４０】
図３は、本発明に係る実施例におけるX2インタフェースに基づく情報確立フローチャートである。図３に示すように、eNBは、新たに確立される基地局であり、eNB1は、当該eNBの1つの隣接する基地局である。eNBは、eNB1へX2確立要求を送信し、eNB1に3つのセルa、b、cが含まれ、セルaの隣接セルがd、セルbの隣接セルがe、セルcは隣接セルがないとすると、eNB1は、セルa、ｂ、ｃ、ｄ、eのPCIと中心周波数情報を、X2確立応答を介してeNBに送信する。{a 、b 、c 、d 、e} のPCIセットが{O 、P、Q 、R 、S }であり、セルｃ、ｄ、eとセル1が異なる周波数であるとすると、PCIセット{Q 、R 、S }は、上述した第1参考物理セルIDセットである。eNBは、PCIセット{Q 、R 、S }とOAMが送信した使用可能なPCIに対して共通セットを取って、得た共通セットが{Q 、S }であるとすると、PCI多重セット（即ち、上述した第2参考物理セルIDセット）は{Q 、S }である。
【００４１】
S4：eNBは、まずPCI選択可能なセットでセル1にPCI値を選択し、即ちPCI選択可能なセットで1つのPCI値をランダムに選択してセル1のPCIとし、PCI選択可能なセットでPCIをランダムに選択することに成功すると、ランダムに選択したPCI値をセル1のPCIに配置し、S6に進む。PCI選択可能なセットでPCI値をランダムに選択することに失敗すると、S5に進む。
【００４２】
S5：eNBは、PCI多重セットでセル1にPCI値を選択して（上述したステップ108に対応）、即ち、PCI多重セットで1つのPCI値をランダムに選択してセル1のPCIとして、当該PCI値をセル1のPCIに配置し、S6に進む。
【００４３】
S6：eNBは、セル1のPCI値をOAMに通知する。
【００４４】
以下、本発明に係る実施例における各最適な方案を説明する。
【００４５】
最適な方案一：上記のS3において、eNBは、X2インタフェースにより、当該eNBとX2で接続する全ての基地局がサポートするセルの隣接セルが使用するPCIと中心周波数情報のみを収集した後、得た全てのセルでセル1の中心周波数情報と異なるセルのPCIを選択して、セル1の中心周波数情報と異なるセルのPCIセット（即ち、上述した第1参考物理セルIDセット）を確定して、当該PCIセットとOAMが送信した使用可能なPCIセットに対して共通セットを取ってPCI多重セットを得る。このように、当該多重セットにeNBとX2で接続する全ての基地局がサポートするセルのPCIがない。このように、PCIが混淆する確率を下げることができる。
【００４６】
最適な方案二：上記の最適な方案一の上に、セル1に割り当てられたPCIと周波数が異なる隣接セルが使用したPCIと重複することよるセル間にPCIが混淆する確率を下げるために、隣接セルになることが可能な周波数が異なるセルが同一のPCIを多重しないことをさらに保証する必要がある。このように、本発明におけるPCI多重セットは、下記の方法に従って生成される。即ち、eNBは、X2インタフェースにより、報告された全ての隣接の基地局のセルの、PCIの割り当てを待つセル1と周波数が異なる隣接セルのPCIセットを得て、さらにUEによって報告された、及びその他の方法で得た、現在のPCIの割り当てを待つセル1と周波数が異なる全てのセルのPCIを除去して、1つのPCIセット（即ち、上述した第1参考物理セルIDセット）を得て、その後、このPCIセットとOAMが送信した使用可能なPCIセットに対して共通セットを取って、PCI多重セットを得る。このように、PCI多重セットにおけるPCIはセル1に選択され、且つセル1がPCI多重セットで選択したPCI値と周りの周波数が異なるセルのPCI値は重複するが、周りの周波数が異なる隣接セルのPCI値と重複する確率が大きく低下し、セル間にPCI値が混淆する確率が縮小される。
【００４７】
最適な方案三：上記のS3において、セル1のPCI選択の成功率を高くするために、隣接セルになることが可能な周波数が異なるセルが同一のPCIを多重してもよく、eNBは、制限セットにおける現在のPCIの割り当てを待つセル1と周波数が異なる全てのセルのPCIセット（即ち、上述した第1参考物理セルIDセット）を収集して、このPCIセットとOAMが与えた使用可能なPCIセットに対して共通セットを取って、このように、多重範囲がより広いPCI多重セットを生成する。
【００４８】
また、S4において、PCI選択可能なセットでPCIを割り当てることに失敗すると、eNBとOAMとの情報交互を増加させることができる。基地局は、OAMへ情報を送信してセル1がPCIを選択することに失敗したことを通知して、その後、OAMは、基地局へ情報を送信してPCIを多重するかどうかを通知する。S5において、PCI多重セットでPCIを割り当てることに失敗すると、eNBとOAMとの情報交互を増加させて、eNBはセル1がPCIを多重することに失敗したことをOAMに通知する。
【００４９】
装置の実施例
本発明に係る実施例によれば、基地局が提供される。
【００５０】
図５は本発明に係る実施例における基地局の構成を示すブロック図である。図５に示すように、第1取得モジュール10、第1処理モジュール20、第2取得モジュール30、第2処理モジュール40、選択モジュール50と呼び出しモジュール60を備える。以下で上述した構造を説明する。
【００５１】
第1取得モジュール10は、OAMが送信した物理セルIDリストとターゲットセルの制限物理セルIDを取得する。第1処理モジュール20は、第1取得モジュールに接続され、物理セルIDリストからターゲットセルの制限物理セルIDを除去して使用可能な物理セルIDセットを得る。第2取得モジュール30は、X2インタフェース情報により得たセルの中心周波数情報に基づいて、予定された方式でセルの中心周波数情報がターゲットセルの中心周波数情報と異なる第1参考物理セルIDセットを確定する。第2処理モジュール40は、第1取得モジュール10と第2取得モジュール30に接続され、物理セルIDリストと第1参考物理セルIDセットとの共通セットを第2参考物理セルIDセットに確定する。選択モジュール50は、第1処理モジュール20と第2処理モジュール40に接続され、ターゲットセルに物理セルIDを選択する。呼び出しモジュール60は、選択モジュール50に接続され、選択モジュール50を呼び出して、選択モジュール50が第1処理モジュール20の使用可能な物理セルIDセットでターゲットセルに1つの物理セルIDをターゲットセルの物理セルIDとして選択し、使用可能な物理セルIDセットが空セットである場合に、第2処理モジュール40の第2参考物理セルIDセットで1つの物理セルIDをターゲットセルの物理セルIDとして選択する。
【００５２】
本発明に係る実施例が提供した基地局によれば、分散式方法でターゲットセルの中心周波数情報と異なるセルのPCIをターゲットセルのPCIとすることで、従来技術に比べて、ターゲットセルに対してPCIを配置する成功率を向上させて、セル間のPCIの衝突及びセル間の干渉を避けて、ネットワークの運営性能を向上させて、ネットワークの運営・維持コストを低減することができる。
【００５３】
上述のように、本発明が提供する物理セルIDの割当方法及び/又は基地局は、eNBが本基地局のセルに対するPCIの自動的な配置を実現することができ、特に、PCI値が十分ではない場合に、PCI多重方式により、新しいセルにPCI値を配置して、セル間の物理IDの衝突とセル間の干渉を避けて、ネットワークが密集するカバー領域のｅNBが分散式方法を採用してPCIを自動的に配置する成功率を高めて、ネットワークの運営性能を向上させて、ネットワークの運営・維持コストを低減することができる。
【００５４】
上述したものは、本発明の実施形態だけであるが、本発明を限定することに用いられるものではなく、当業者にとっては、様々な変更と変化を実施することができる。実質及び要旨を逸脱しない範囲で、当業者が本発明に対して行った様々の修正、等同切替、改良などは、本発明の特許請求の範囲に含まれると理解すべきである。
【図１】
0005444359.tif 000003
【図２】
0005444359.tif 000004
【図３】
0005444359.tif 000005
【図４】
0005444359.tif 000006
【図５】
0005444359.tif 000007